(57)【特許請求の範囲】
【請求項１】
環状に形成せしめた横断面円形の走行レールと、
前記走行レールを支持する支持フレームと、
前記走行レールに沿って走行する走行車両と、
前記走行車両の両側部に、該走行車両より垂下するようにそれぞれ設けたバランスアームと、
前記バランスアームの下端に設けたバランス錘体とを備えてなり、
前記走行車両は、各々前記走行レールの外面に係合する凹状の係合溝を有し、上下から前記走行レールに挟接する一対の前輪及び前部補助輪、並びに後輪及び後部補助輪を備え、
前記支持フレームは、前記バランスアーム及びバランス錘体の設けられた走行車両が前記走行レールの内周面に沿って走行可能なように、前記走行フレームへの接続部がＳ字状に湾曲した形状に形成され、
前記走行車両が、走行時に前記バランス錘体に作用する遠心力によって、走行レールの中心側に傾き、走行レールの内周面に沿って走行するように構成されてなることを特徴とする遊戯用乗物装置。
【請求項２】
前記バランス錘体の少なくとも一方が座席を有する車両である請求項１記載の遊戯用乗物装置。
【請求項３】
前記走行レールを昇降せしめる昇降手段を備えた請求項１又は２記載の遊戯用乗物装置。
【請求項４】
前記走行レールを傾斜せしめる傾斜手段を備えた請求項１，２又は３記載の遊戯用乗物装置。
【発明の詳細な説明】
【０００１】
【産業上の利用分野】
本発明は遊園地や公園等の行楽, 歓楽地に設置して好適な戯用乗物装置に関する。
【０００２】
【従来の技術】
遊園地等に娯楽を目的とした各種遊戯施設が設置されているのは周知の通りであり、従来より、遊戯者にスピード感やスリル感を味わわせる乗物としてジェットコースタ等がよく知られている。そして近年では、更にスピード感やスリル感の増した乗物として宙返り部や急反転部を設けたものが提案されており、日常生活では到底味わうことのできない特異な感覚を手軽に体感できることから、若年層をはじめとして多くの人の人気を集めている。
【０００３】
【発明が解決しようとする課題】
しかしながら、近年、若者の間では趣味感や価値観が多様化し、従来にない感覚を体感できる遊戯装置が求められている。
本発明はかかる実状の下なされたものであり、従来の遊戯用乗物装置においては到底味わうことのできない感覚を体感することのできる遊戯用乗物装置の提供を目的とする。
【０００４】
【課題を解決するための手段】
上記目的を達成するための、本発明の請求項１に係る発明は、環状に形成せしめた横断面円形の走行レールと、前記走行レールを支持する支持フレームと、前記走行レールに沿って走行する走行車両と、前記走行車両の両側部に、該走行車両より垂下するようにそれぞれ設けたバランスアームと、前記バランスアームの下端に設けたバランス錘体とを備えてなり、前記走行車両は、各々前記走行レールの外面に係合する凹状の係合溝を有し、上下から前記走行レールに挟接する一対の前輪及び前部補助輪、並びに後輪及び後部補助輪を備え、前記支持フレームは、前記バランスアーム及びバランス錘体の設けられた走行車両が前記走行レールの内周面に沿って走行可能なように、前記走行フレームへの接続部がＳ字状に湾曲した形状に形成され、前記走行車両が、走行時に前記バランス錘体に作用する遠心力によって、走行レールの中心側に傾き、走行レールの内周面に沿って走行するように構成されてなることを要旨とする。また、請求項２に係る発明は前記バランス錘体の少なくとも一方が座席を有する車両であること、請求項３に係る発明は前記走行レールを昇降せしめる昇降手段を備えたこと、請求項４に係る発明は前記走行レールを傾斜せしめる傾斜手段を備えたことをそれぞれ要旨とする。
【０００５】
【作用及び効果】
本発明の請求項１の発明によれば、まず、遊戯者を走行車両に搭乗せしめる。ついで、遊戯者は走行車両を駆動し、円形の走行レールの略上面の走行軌道に沿って周回走行する。これにより、遊戯者は所定高さの空中に設定された幅の狭い走行レール上を走行するという、道路上を走行する場合には味わえないスリル感を味わうことができる。
【０００６】
周回走行に伴い、前記バランス錘体に遠心力が作用し、走行車両を中心とした偶力を生じる。この偶力により走行車両は走行レールの中心側に傾き、走行レールの内周面に沿った走行軌道を走行するようになる。このとき走行車両は横倒状態となる。これにより、遊戯者は横倒状態で走行するという従来にない趣味感とスリル感とが相挨った感覚を味わうことができる。
【０００７】
ついで、遊戯者が走行車両の走行速度を減速すると、バランス錘体の重量の偶力の作用で走行車両は走行レールの略上面を走行する元の走行軌道に復帰する。
【０００８】
また、請求項２の発明によれば、バランス錘体に代え車両を設けているので、当該車両に乗車した遊戯者は空中に浮遊したような従来にないスリリングな感覚を味わうことができる。また、複数の遊戯者が一体感を持って遊戯を楽しむことができる。
【０００９】
また、請求項３の発明によれば、昇降手段を駆動することにより走行レールが上下するので、遊戯者は更に変化に富んだスリリングな感覚を味わうことができ、更に、請求項４の発明によれば、傾斜手段を駆動することにより、走行レールが傾斜するので、遊戯者の走行する面が刻々変化し、遊戯者は更に変化に富んだ遊戯を楽しむことができる。
【００１０】
【実施例】
以下、本発明の実施例について添付図面に基づき説明する。
【００１１】
（実施例１）
図１は本発明の一実施例に係る遊戯用の乗物装置を示す斜視図であるが、同図に示すように、この乗物装置は、基台（１）と、支持アーム（２）と、走行部（５）とを備えてなる。
【００１２】
前記基台（１）は図１に示すように、一端に基部（１ａ）を備え、他端に支持部（１ｂ）を備えてなる。そして当該基部（１ａ）の上部に駆動部（３）を設けている。駆動部（３）は駆動モータ（図示せず）と、当該駆動モータ（図示せず）の回転力を伝達するギア（３ａ）とを備えている。
【００１３】
前記支持アーム（２）は一端が前記駆動部（３）において軸支されており、当該一端部に前記ギア（３ａ）に歯合するギア（２ａ）を備えている。而して、支持アーム（２）は駆動部（３）を中心として矢示Ａ−Ｂ方向に移動可能となっており、矢示Ｂ方向の移動端において前記支持部（１ｂ）上面に他端部が当接する。また、支持アーム（２）の他端部には支持アーム（２）に対して垂直に支軸（８）を設けている。尚、この支持アーム（２）及び駆動部（３）が前述の請求項３における昇降手段又は請求項４における傾斜手段に相当する。
【００１４】
前記走行部（５）は図１に示すように、走行レール（６）と、走行車両（７）と、支持フレーム（９）とを備えてなる。
【００１５】
前記走行レール（６）は横断面が円形である、中実又は中空の部材を環状に形成したものである。また、前記支持フレーム（９）は前記支軸（８）を中心として放射状に設けたもので端部が前記走行レール（６）に接続し、当該走行レール（６）を支持している。尚、支持フレーム（９）の走行レール（６）への接続部はＳ字状に湾曲している。
【００１６】
また、図２に示すように、前記走行車両（７）は前輪（１０）及び後輪（１１）を有する、いわゆる自動２輪車であり、前輪（１０）及び後輪（１１）は前記走行レール（６）の外面に係合する凹状の係合溝（１０ａ），（１１ａ）を備えている。また、前記前輪（１０）及び後輪（１１）の下方にはそれぞれ前部補助輪（１２）及び後部補助輪（１３）設けており、当該前部補助輪（１２）及び後部補助輪（１３）は一端がそれぞれ前輪（１０），後輪（１１）の車軸に接続した補助フレーム（１７）により支持される。尚、この前部補助輪（１２）及び後部補助輪（１３）も前記前輪（１０）及び後輪（１１）と同様に前記走行レール（６）の外面に係合する凹状の係合溝（１２ａ），（１３ａ）をそれぞれ備える。而して、前輪（１０）と前部補助輪（１２）並びに後輪（１１）と後部補助輪（１３）とが前記走行レール（６）に対し上下から、脱輪しない程度の接圧力で挟接している。また、走行車両（７）のフレーム（１４）の左右にバランスアーム（１５）を設けている。このバランスアーム（１５）は図示するように湾曲せしめたもので、前記フレーム（１４）より垂下しており、先端にそれぞれバランス錘体（１６）を備えている。また、走行車両（７）のシートには遊戯者（Ｙ）の安全のためシートベルト（１８）を設けている。
【００１７】
また、図１におけるＣ位置に前記走行部（５）が位置するとき、遊戯者（Ｙ）が走行車両（７）に搭乗するための搭乗口（４）を走行レール（６）の外周部の適宜位置に設けている。
【００１８】
次に、以上の構成を備える実施例装置により遊戯者（Ｙ）に当該遊戯を楽しませるその態様について説明する。尚、走行部（５）が図１におけるＣ位置に位置しているところから説明する。
【００１９】
まず、遊戯者（Ｙ）は搭乗口（４）から走行車両（７）に搭乗し、シートベルト（１８）を装着する。そして、遊戯者（Ｙ）は走行車両（７）を駆動し、走行レール（６）上を周回走行する。これにより、遊戯者（Ｙ）は所定高さの空中に設定された幅の狭い走行レール（６）上を走行するという、道路上を走行する場合には味わえないスリル感を味わうことができる。この際、前輪（１０）と前部補助輪（１２）並びに後輪（１１）と後部補助輪（１３）が走行レール（６）に挟接しているので走行車両（７）が脱輪して落下するという虞はなく、また、遊戯者（Ｙ）はシートベルト（１８）を装着しているので遊戯者（Ｙ）自身が落下するという虞もなく遊戯者（Ｙ）にとって安全である。
【００２０】
ついで図３に示すように、Ｅ位置の走行レール（６）上を周回走行する走行車両（７）はそのバランス錘体（１６）が矢示Ｇ方向の遠心力を受け、偶力（モーメント）より矢示Ｈ方向に移動し、走行レール（６）の内周面を走行するＦ位置に位置する。尚、バランス錘体（１６）の重量は走行車両（７）をＦ位置に留め得る遠心力を生じる重量に設定している。
これにより、遊戯者（Ｙ）は横倒状態で走行するという従来にない趣味感とスリル感とが相挨った感覚を味わうことができる。
【００２１】
ついで、前記駆動部を（３）を駆動して図１に示すように、走行部（５）をＤ位置に移動せしめる。これにより、遊戯者（Ｙ）の走行する面が刻々変化し、ついには垂直面内を走行することとなり、遊戯者（Ｙ）は更に変化に富んだ遊戯を楽しむことができる。
【００２２】
ついで、再び駆動部（３）を駆動して走行部（５）を図１におけるＣ位置に移動せしめる。そして、遊戯者（Ｙ）は走行車両（７）の走行速度を減速する。これにより、バランス錘体（１６）の重量の偶力の作用で走行車両（７）は図３におけるＥ位置に復帰する。しかる後、遊戯者（Ｙ）は搭乗口（４）において走行車両（７）を停止せしめ、走行車両（７）より降りる。
【００２３】
（実施例２）
次に、図４に基づいて実施例２の遊戯用乗物装置について説明する。同図に示すように、この装置は実施例１における走行車両（７）の、走行方向右側のバランス錘体（１６）に代えて遊戯者（Ｙ）が着座する座席を有する補助車両（１９）を設け、更に、走行レール（６）の外側に当該走行レール（６）と同芯且つ輪環状の補助レール（２０）を設けたものである。尚、補助車両（１９）の重量はバランス錘体（１６）と同じ重量に設定している。
【００２４】
この装置によっても、走行車両（７）が走行レール（６）上を所定速度で走行すると、走行車両（７）はＥ位置からＦ位置に移動するが、補助車両（１９）に搭乗した遊戯者（Ｙ）は空中に浮遊したような従来にないスリリングな感覚を味わうことができる。尚、補助車両（１９）にもシートベルトを設け、遊戯者（Ｙ）の安全を図るのが好ましい。
【００２５】
また、図５に示すように、左右両側のバランス錘体（１６）に代え、走行車両（７）と同型の走行車両を設け、更に、図示する如く、補助レール（２１）を設けて構成しても良い。
【００２６】
本例によれば、複数の遊戯者（Ｙ）が一体感を持って遊戯を楽しむことができる。また、補助レール（２０），（２１）を設けることで、補助車両（１９）に搭乗した遊戯者（Ｙ）も自身が走行していることを実感することができる。
【００２７】
以上、本発明の具体的実施例について説明したが、これはあくまでも一例として例示したものであって、本発明の具体的態様がこれに限られるものではないことは言うまでもない。特に付言するならば、本例では支持アーム（２）及び駆動部（３）により走行部（５）を昇降せしめるように構成したがこれに限るものではなく、油圧シリンダにより昇降せしめるように構成しても良い。
【図面の簡単な説明】
【図１】        本発明の一実施例たる実施例１の装置を示す斜視図である。
【図２】        実施例１の変形例を示す斜視図である。
【図３】        実施例２の装置を示す斜視図である。
【図４】        実施例２の装置の駆動手段の概略を示す説明図である。
【図５】        実施例２の装置を示す斜視図である。
【符号の説明】
１    基台
１ａ  基部
１ｂ  支持部
２    支持アーム
３    駆動部
４    搭乗口
５    走行部
６    走行レール
７    走行車両
８    支軸
９    支持フレーム
１０  前輪
１１  後輪
１２  前部補助輪
１３  後部補助輪
１４  フレーム
１５  バランスアーム
１６  バランス錘体
１７  補助フレーム
１８  シートベルト
【図１】
0003745399.tif 000002
【図２】
0003745399.tif 000003
【図３】
0003745399.tif 000004
【図４】
0003745399.tif 000005
【図５】
0003745399.tif 000006